(57)【特許請求の範囲】
【請求項１】
機器ケースへの連結具の取り付け構造であって、
連結具が軸方向一端側にジャックを備え、他端側にプラグを備えた連結具又は軸方向両端側にジャックを備えた連結具であり、
前記連結具の軸方向一端側のジャックが機器ケースの外側に突出し他端側のプラグ又はジャックが機器ケースの内側に突出して前記機器ケースの開口孔に差し込まれ、その差込み状態で固定具により前記機器ケースに固定され、機器ケースの外側に突出したジャックには同軸ケーブル付コネクタを脱着可能であり、
機器ケースの内側のジャック又はプラグには前記機器ケース内にセットされるＲＦユニットの端子を脱着可能であり、
前記機器ケース内のプラグ又はジャックへのＲＦユニットの端子の脱着は、前記ジャックに同軸ケーブル付コネクタが接続されている状態で行うことができるようにした、
ことを特徴とする連結具取り付け構造。
【請求項２】
請求項１記載の連結具取り付け構造において、
連結具が差し込まれた開口孔の外周部分が、固定具又は固定具とは別の閉塞具により閉塞された、
ことを特徴とする連結具取り付け構造。
【請求項３】
機器ケースに同軸ケーブル付コネクタを接続できる連結具を備えた通信機器であり、
連結具が軸方向一端側にジャックを他端側にプラグを備えた連結具又は軸方向両端側にジャックを備えた連結具であり、その連結具が前記機器ケースの開口孔に差し込まれ、連結具は軸方向一端側のジャックが機器ケースの外側に突出し他端側のプラグ又はジャックが機器ケースの内側に突出して前記機器ケースの開口孔に差し込まれ、その差込み状態で固定具により前記機器ケースに固定され、
機器ケースの外側に突出したジャックには同軸ケーブル付コネクタを脱着可能であり、
機器ケースの内側のジャック又はプラグには前記機器ケース内にセットされるＲＦユニットの端子を脱着可能であり、前記機器ケース内のプラグ又はジャックへのＲＦユニットの端子の脱着は、前記ジャックに同軸ケーブル付コネクタが接続されている状態で行うことができるようにした、
ことを特徴とする連結具を備えた通信機器。
【請求項４】
請求項３記載の連結具を備えた通信機器において、
機器ケースに取り付けられた連結具に、ＲＦユニットのＲＦ出力端子、ＲＦユニットの各種端子が脱着可能であり、
前記端子は、ＲＦユニットのユニットケースの外に突出させて、又はユニットケース内に収容して取り付けられた、
ことを特徴とする連結具を備えた通信機器。
【発明の詳細な説明】
【技術分野】
【０００１】
本発明は連結具取り付け構造と、連結具を備えた通信機器に関し、例えば、ＣＡＴＶ機器、特に、Ｖ−ＯＮＵと呼ばれている光受信端末機器に連結具を取り付けるのに適する連結具取り付け構造と、その連結具取り付け構造で取り付けられた連結具を備えた通信機器に関するものである。
【背景技術】
【０００２】
Ｖ−ＯＮＵは加入者宅に取り付けられて、加入者宅に引き込まれた光ファイバで送られてくるテレビ信号（光信号）を電気信号に変換し、同軸ケーブルを介してテレビに送るものである。
【０００３】
光受信器の一例として特許文献１、２がある。特許文献１はケースとＲＦユニットの脱着構造であり、特許文献２は一般的なＶ−ＯＮＵの構造である。特許文献２には光受信ユニットと電源部を一体型にしたもの（特許文献２の図８）、光受信ユニットと電源部を分離型にしたもの（特許文献２の図９）が例示されている。
【先行技術文献】
【特許文献】
【０００４】
【特許文献１】特開２００５−０２５０９４号公報
【特許文献２】特開２０１０−１６１６２８号公報
【発明の概要】
【発明が解決しようとする課題】
【０００５】
従来の光受信器では、図９、図１０に示すように、機器ケースＡ内にＯ／Ｅ変換部（ＲＦユニット）Ｂが収容固定（セット）され、ＲＦユニットＢのＲＦ出力端子Ｃ、出力レベルモニタ端子ＤがケースＡの突出孔Ｅから突出され、それらＲＦ出力端子Ｃに、同軸ケーブルＦに接続されているＦ型コネクタＧを、図１１（ｃ）に示すように接続して、ＲＦユニットＢを、同軸ケーブルＦを介して加入者宅内へ配線する。図９、図１０においてＨは配線用トレイ、Ｊは機器ケースの蓋である。Ｆ型コネクタＧは図１１（ｃ）に示すように矢印方向に回転させるとＲＦ出力端子Ｃ、出力レベルモニタ端子Ｄに締め付けることができ、逆回転させるとそれら端子Ｃ、Ｄから取り外すことができる。
【０００６】
従来の光受信器では次のような問題があった。
（１）保守、点検、修理、交換等のためにＲＦユニットＢを機器ケースＡから取り外すには、Ｆ型コネクタＧをＲＦ出力端子Ｃから取り外して、同軸ケーブルＦを取り外さなければならないという面倒がある。同軸ケーブルＦを取り外すためには、Ｆ型コネクタＧの外周にテーピングしてあるテープの取り外し、防水ブーツの脱着、Ｆ型コネクタＧの取り外し等の処理が必要であり、これらに手間がかかるという課題がある。
（２）図１１（ａ）〜（ｃ）のように、機器ケースＡの突出孔Ｅと、それに差し込まれたＲＦ出力端子Ｃ、出力レベルモニタ端子Ｄとの間に隙間Ｋがあるため、Ｆ型コネクタＧを連結しないときは、その隙間Ｋから機器ケースＡ内に塵埃や雨水が侵入することがあり、防塵、防水等の面で処理が面倒であった。
【課題を解決するための手段】
【０００７】
本発明の目的は、ＲＦユニットＢを機器ケースＡから取り外すときに、Ｆ型コネクタＧをＲＦ出力端子Ｃから取り外す必要がなく、ケースＡの突出孔Ｅとそれに差し込まれたＲＦ出力端子Ｃ、出力レベルモニタ端子Ｄとの間に隙間Ｋが発生せず、Ｆ型コネクタＧを接続しなくともケースＡ内に塵埃や雨水が侵入しないようにした連結具取り付け構造と、その連結構造で取り付けられた連結具を備えた通信機器を提供することにある。
【０００８】
本発明の連結具取り付け構造は、通信機器の機器ケースへの連結具の取り付け構造であって、連結具が軸方向一端側にジャックを他端側にプラグを備えた連結具又は軸方向両端側にジャックを備えた連結具であり、その連結具の軸方向一端側のジャックが機器ケースの外側に突出し他端側のプラグ又はジャックが機器ケースの内側に突出して前記機器ケースの開口孔に差し込まれ、その差込み状態で固定具により前記機器ケースに固定され、機器ケースの外側に突出したジャックには同軸ケーブル付コネクタを脱着可能であり、機器ケースの内側のジャック又はプラグには前記機器ケース内にセットされるＲＦユニットの端子を脱着可能であり、前記機器ケース内のプラグ又はジャックへのＲＦユニットの端子の脱着は、前記ジャックに同軸ケーブル付コネクタが接続されている状態で行うことができるようにしてある。前記開口孔は連結具を機器ケースに固定する固定具又は固定具とは別の閉塞具により閉塞するようにしたものである。
【０００９】
本発明の連結具を備えた通信機器は、機器ケースに同軸ケーブル付コネクタを接続できる連結具を備えた通信機器であり、連結具が軸方向一端側にジャックを他端側にプラグを備えた連結具又は軸方向両端側にジャックを備えた連結具であり、その連結具が前記機器ケースの開口孔に差し込まれ、連結具は軸方向一端側のジャックが機器ケースの外側に突出し他端側のプラグ又はジャックが機器ケースの内側に突出して前記機器ケースの開口孔に差し込まれ、その差込み状態で固定具により前記機器ケースに固定され、機器ケースの外側に突出したジャックには同軸ケーブル付コネクタを脱着可能であり、機器ケースの内側のジャック又はプラグには前記機器ケース内にセットされるＲＦユニットの端子を脱着可能であり、前記機器ケース内のプラグ又はジャックへのＲＦユニットの端子の脱着は、前記ジャックに同軸ケーブル付コネクタが接続されている状態で行うことができるようにしてある。前記開口孔は連結具を機器ケースに固定する固定具又は固定具とは別の閉塞具により閉塞するようにしたものである。
【００１０】
前記連結具に脱着可能なＲＦユニットのＲＦ出力端子、ＲＦユニットの各種端子は、ＲＦユニットのユニットケースの外に突出させて取り付けることも、ユニットケース内に収容して取り付けることもできる。
【発明の効果】
【００１１】
本発明の連結具取り付け構造及び連結具を備えた通信機器は次のような効果がある。
（１）連結具へのＲＦユニットの端子の脱着を、連結具に同軸ケーブル付コネクタを接続したままで行うことができるので、ＲＦユニットの保守、点検、交換等を行う時に、連結具の同軸ケーブル付コネクタを取り外す面倒がなく、保守・点検作業、交換作業等を短時間で簡易に行うことができる。
（２）機器ケースの開口孔が、機器ケースに連結具を取り付けることにより閉塞されるので、ケースの防塵／防水性を確保でき、防塵／防水処理の必要がなくなる。
（３）連結具が軸方向両端にジャックを備えたものの場合は、連結具を取り付けた機器ケースの周壁内面と、連結具の内側ジャックに連結したＲＦユニットとの間にできる隙間が狭くなるため、機器ケースを小型化することができる。ＲＦユニットのプラグ端子をＲＦユニットのユニットケース内に取付けた場合は、前記隙間がより一層狭くなるため、機器ケースをより一層小型化することができる。
（４）光受信ユニットのＦ型コネクタに標準長のものを使用することができる。
【図面の簡単な説明】
【００１２】
【図１】本発明の連結具を備えた通信機器の一例であり、トレイ、ＲＦユニットを外し、同軸ケーブルを取り外した状態の斜視図。
【図２】図１の通信機器のケース内にＲＦユニットを収容し、その上にトレイを載せ、同軸ケーブルを連結した場合の斜視図。
【図３】本発明の連結具を備えた通信機器の一例であり、軸方向一端にジャックを、他端にプラグを備えた連結具を機器ケースの開口孔へ取り付ける場合であり、（ａ）は連結具を機器ケースに取り付ける前の説明図、（ｂ）は連結具を機器ケースに取り付けた状態の説明図、（ｃ）は連結具にＲＦユニットを連結した状態の説明図。
【図４】本発明の連結具を備えた通信機器の他の例であり、軸方向両端にジャックを備えた連結具を機器ケースの開口孔へ取り付けられ、プラグがＲＦユニットのケースの外に取り付けられた場合であり、（ａ）は連結具を機器ケースに取り付ける前の説明図、（ｂ）は連結具にＲＦユニットを連結した状態の説明図。
【図５】本発明の連結具を備えた通信機器の他の例であり、軸方向両端にジャックを備えた連結具が機器ケースの開口孔へ取り付けられ、プラグがＲＦユニットのケース内に取り付けられた場合であり、（ａ）は連結具を機器ケースに取り付ける前の説明図、（ｂ）は連結具にＲＦユニットを連結した状態の説明図。
【図６】本発明の連結具を備えた通信機器の他の例であり、（ａ）はジャックがＲＦユニットのケースの外側に取り付けられた場合の説明図、（ｂ）はプラグがＲＦユニットのケースの外側に取り付けられた場合の説明図、（ｃ）はプラグがＲＦユニットのケースの内側に取り付けられた場合の説明図。
【図７】本発明の連結具を備えた通信機器の他の例であり、（ａ）は図６（ａ）の場合のＲＦユニットとジャックの配線の一例を示す説明図、（ｂ）は図６（ｂ）の場合のＲＦユニットとプラグの配線の一例を示す説明図、（ｃ）は図６（ｃ）の場合のＲＦユニットとジャックの配線の一例を示す説明図。
【図８】（ａ）（ｂ）は本発明のＲＦユニットの他例であり、連結具をユニットケースの樹脂内に埋設固定した状態を示す説明図。
【図９】従来の通信機器の一例であり、機器ケースに配線用トレイを被せて同軸ケーブルを連結した場合の斜視図。
【図１０】図９の通信機器の配線用トレイを外し、同軸ケーブルを取り外した状態の斜視図。
【図１１】（ａ）〜（ｃ）は図１０の機器ケースにＲＦユニットをセットする手順を示す説明図。
【発明を実施するための形態】
【００１３】
（実施形態１）
本発明の連結具取り付け構造を、通信機器であるＣＡＴＶ機器のケース（機器ケース）に取り付ける場合を一例として説明する。図１、図２に示すＣＡＴＶ機器は光受信器の場合である。このＣＡＴＶ機器は機器ケース１に蓋２が開閉可能に取り付けられている。機器ケース１にはＲＦユニット３を収容できるユニット収容部４、電源や他の機器を収容できる機器収容部５があり、それら収容部４、５の上に、光ファイバを配線できるトレイ６をセットしてある。図３（ａ）〜（ｃ）に示すように、機器ケース１の開口孔７には連結具８が差し込まれて、機器ケース１の周壁９に固定具（例えば、ナット）１０で固定されている。
【００１４】
連結具８は図３（ａ）（ｂ）に示すように細長であり、軸方向一端にジャック１１が、他端にプラグ１２が設けられている。ジャック１１は同軸ケーブルＦ付のＦ型コネクタ１３の中心導体を差込んで同コネクタ１３の袋螺子部を回転させるとＦ型コネクタ１３を接続できるものである。プラグ１２は中心導体１５を備えており、ＲＦユニット３の出力端子、出力レベルモニタ端子といった各種端子１６を嵌入して脱着可能に連結することができるようにしてある。この連結構造では図３（ｃ）のようにＲＦユニット３の前面と機器ケース１の内面との間に空間Ｓができる。ＲＦユニット３の各種端子１６は図６（ａ）、図７（ａ）に示すようにユニットケース１７に取り付けられている。図６（ａ）、図７（ａ）はジャック型の端子１６をユニットケース１７の前面に突設した場合、図６（ｂ）、図７（ｂ）はプラグ型の端子１６をユニットケース１７の前面に突設した場合、図６（ｃ）、図７（ｃ）はジャック型の端子１６をユニットケース１７の前面の内側に突設した場合である。ＲＦユニット３の各種端子１６は図８（ａ）、（ｂ）に示すように樹脂製のユニットケース１７内に埋設固定することもできる。図８（ａ）の端子１６はジャック型、図８（ｂ）の端子１６はプラグ型である。
【００１５】
連結具８は図４（ａ）に示す形態のものであってもよい。この連結具８は細長であるが、軸方向両端にジャック１１が設けられている。ジャック１１は図３（ａ）の連結具８のジャック１１と同じ構造である。この連結具８も機器ケース１の開口孔７に差し込んで、機器ケース１の周壁９に固定具（例えば、ナット）１０で固定することができる。この連結具８の場合は、機器ケース１の外に突出しているジャック（外側ジャック）１１ａにＦ型コネクタ１３の中心導体を差込んで同コネクタ１３の袋螺子部を回転させるとＦ型コネクタ１３を接続でき、機器ケース１内に突出しているジャック（内側ジャック）１１ｂにＲＦユニット３の出力端子、出力レベルモニタ端子（プラグ型端子）１６の中心導体１８を差込んで脱着可能に連結することができるようにしてある。この連結構造の場合も図４（ｂ）のようにＲＦユニット３の前面と機器ケース１の内面との間に空間Ｓができる。
【００１６】
本発明では、図５（ａ）に示すように図４（ａ）の連結具８と同じ形態の連結具８を使用し、ＲＦユニット３の出力端子、出力レベルモニタ端子（プラグ型端子）１６をＲＦユニット３のユニットケース１７の内部に取付けたものであってもよい。この場合も連結具８を機器ケース１の開口孔７に差し込んで、機器ケース１の周壁９に固定具（例えば、ナット）１０で固定する。この連結具８の場合は、機器ケース１の外に突出しているジャック（外側ジャック）１１ａにＦ型コネクタ１３の中心導体を差込んで同コネクタ１３の袋螺子部を回転させるとＦ型コネクタ１３を接続でき、機器ケース１内に突出しているジャック（内側ジャック）１１ｂをＲＦユニット３の出力端子、出力レベルモニタ端子（プラグ型端子）１６の中心導体１８を差込んで脱着可能に連結することができる。この連結構造の場合は、図５（ｂ）のようにＲＦユニット３の前面と機器ケース１の内面との間に空間ができない。
【００１７】
本発明では連結具８が図３（ｃ）、図４（ｂ）、図５（ｂ）のように機器ケース１に固定具（例えば、ナット）１０で固定されるため、機器ケース１の開口孔７よりも外径の大きな固定具１０で取付けて開口孔７を閉塞するようにしてある。この場合、固定具１０として外径の大きなものを使用するのではなく、固定具の内側にワッシャとか他の閉塞具を介在させて、それらで開口孔７を閉塞することもできる。
【００１８】
前記機器ケース１、蓋２、トレイ６には汎用のものでも新たに開発されたものでも使用することができる。ＲＦユニット３も汎用のものでも新たに開発されたものでも使用することができる。
【産業上の利用可能性】
【００１９】
本発明の連結具取り付け構造は、連結具にコネクタとユニット機器を連結するものであれば、ＣＡＴＶ機器以外の通信機器にも利用することができる。
【符号の説明】
【００２０】
１    機器ケース
２    蓋
３    ＲＦユニット
４    ユニット収容部
５    機器収容部
６    トレイ
７    開口孔
８    連結具
９    周壁
１０    固定具
１１    ジャック
１１ａ  外側ジャック
１１ｂ  内側ジャック
１２    プラグ
１３    Ｆ型コネクタ
１５    （プラグの）中心導体
１６    （ＲＦユニットの）端子
１７    ユニットケース
１８    （ＲＦユニットの）中心導体
Ａ    機器ケース
Ｂ    ＲＦユニット
Ｃ    （ＲＦユニットの）ＲＦ出力端子
Ｄ    （ＲＦユニットの）出力レベルモニタ端子
Ｅ    （ケースの）突出孔
Ｆ    同軸ケーブル
Ｇ    Ｆ型コネクタ
Ｈ    配線用トレイ
Ｊ    機器ケースの蓋
Ｋ    隙間
Ｓ    空間
【要約】
【課題】  ＲＦユニットを機器ケースから取り外すときに、Ｆ型コネクタをＲＦ出力端子、出力レベルモニタ端子から取り外さなくても取り外し可能とする。機器ケースの開口孔を防塵、防水構造にする。
【解決手段】  連結具が軸方向一端側にジャックを他端側にプラグを備えた連結具又は軸方向両端側にジャックを備えた連結具であり、その連結具の軸方向一端側のジャックが機器ケースの外側に突出し他端側のプラグ又はジャックが機器ケースの内側に突出して前記機器ケースの開口孔に差し込まれ、その差込み状態で固定具により前記ケースに固定され、機器ケースの外側に突出したジャックには同軸ケーブル付コネクタを脱着可能であり、機器ケースの内側のジャック又はプラグには前記機器ケース内にセットされるＲＦユニットの端子を脱着可能であり、前記機器ケース内のプラグ又はジャックへのＲＦユニットの端子の脱着は、前記ジャックに同軸ケーブル付コネクタが接続されている状態で行うことができるようにした。
【選択図】  図１【図１】
0005759056.tif 000002
【図２】
0005759056.tif 000003
【図３】
0005759056.tif 000004
【図４】
0005759056.tif 000005
【図５】
0005759056.tif 000006
【図６】
0005759056.tif 000007
【図７】
0005759056.tif 000008
【図８】
0005759056.tif 000009
【図９】
0005759056.tif 000010
【図１０】
0005759056.tif 000011
【図１１】
0005759056.tif 000012